(57)【特許請求の範囲】
【請求項１】
壁にあけられた方形開口各辺の縁部における所要位置に嵌め被せられる少なくとも一つの溝形押縁取付用部材と、方形開口各辺の縁部に嵌め被せられた溝形押縁取付用部材に取り付けられるとともに互いに対向しかつ方形開口内に位置する透明板挟み用垂直板状部を有する前後一対の押縁とを備え、
溝形押縁取付用部材の底壁外面に、後向き垂直面を有する前テーパ突条と、前向き垂直面を有する後テーパ突条とが、前後に間隔をおいて並列状に設けられ、
溝形押縁取付用部材の前後壁の先端部内側に曲面部またはテーパ状部が形成されており、
溝形押縁取付用部材の前後壁は、それぞれ開口内方にわずかに傾斜せしめられ、前後壁が、溝形押縁取付用部材を方形開口各辺の縁部に嵌め被せるさいに、曲面部またはテーパ状部により外方に屈曲せしめられるとともに復元しようとして溝形押縁取付用部材を方形開口各辺の縁部に止めうる程度の弾性を有し、
前後押縁に、溝形押縁取付用部材の前後壁に嵌め被せられる横断面コ形の嵌被せ部と、溝形押縁取付用部材の前後テーパ突条の垂直面に引っかけられる横断面倒Ｌ形の引っかけ部とが形成されており、
引っかけ部が、前後押縁の嵌被せ部を溝形押縁取付用部材の前後壁に嵌め被せるさいに、テーパ突条により方形開口内方に屈曲せしめられるとともにテーパ突条を通過した後に復元してテーパ突条の垂直面に引っかかる程度の弾性を有している、嵌殺し窓用透明板取付装置。
【発明の詳細な説明】
【０００１】
【発明の属する技術分野】
本発明は、嵌殺し窓用透明板取付装置に関する。詳しくは、例えば、冷凍冷蔵倉庫、恒温恒湿室、クリーンルームなどの壁や扉に形成される嵌め殺し窓用のものであって、壁の方形開口に透明板を取り付けるための嵌殺し窓用透明板取付装置に関する。
【０００２】
なお、本明細書において前後は、図２を基準とするものとし、図２の左を前、
右を後という。
【０００３】
また、本明細書において、「壁」という用語には、壁、扉および天井を含むものとする。
【０００４】
【発明が解決しようとする課題】
本発明は、取付けに要する手間が少なく、かつ材料が少なくてすむ嵌殺し窓用透明板取付装置を提供することを課題とする。
【０００５】
【課題を解決するための手段】
上記課題を解決するために、本発明の嵌殺し窓用透明板取付装置は、
壁にあけられた方形開口各辺の縁部における所要位置に嵌め被せられる少なくとも一つの溝形押縁取付用部材と、方形開口各辺の縁部に嵌め被せられた溝形押縁取付用部材に取り付けられるとともに互いに対向しかつ方形開口内に位置する透明板挟み用垂直板状部を有する前後一対の押縁とを備え、
溝形押縁取付用部材の底壁外面に、後向き垂直面を有する前テーパ突条と、前向き垂直面を有する後テーパ突条とが、前後に間隔をおいて並列状に設けられ、
溝形押縁取付用部材の前後壁の先端部内側に曲面部またはテーパ状部が形成されており、
溝形押縁取付用部材の前後壁は、それぞれ開口内方にわずかに傾斜せしめられ、前後壁が、溝形押縁取付用部材を方形開口各辺の縁部に嵌め被せるさいに、曲面部またはテーパ状部により外方に屈曲せしめられるとともに復元しようとして溝形押縁取付用部材を方形開口各辺の縁部に止めうる程度の弾性を有し、
前後押縁に、溝形押縁取付用部材の前後壁に嵌め被せられる横断面コ形の嵌被せ部と、溝形押縁取付用部材の前後テーパ突条の垂直面に引っかけられる横断面倒Ｌ形の引っかけ部とが形成されており、
引っかけ部が、前後押縁の嵌被せ部を溝形押縁取付用部材の前後壁に嵌め被せるさいに、テーパ突条により方形開口内方に屈曲せしめられるとともにテーパ突条を通過した後に復元してテーパ突条の垂直面に引っかかる程度の弾性を有している
ものである。
【０００６】
【発明の実施の形態】
以下、図１〜図４を参照して本発明の１実施形態の嵌殺し窓用透明板取付装置について説明する。
【０００７】
図１に示したように、嵌殺し窓用透明板取付装置(1) は、例えば、冷凍冷蔵倉庫の扉(2) に設けられた嵌殺し窓に適用され、ガラス製の透明板(3) を扉(2) にあけられた方形開口に取り付けるものである。
【０００８】
なお、扉(2) は、前後のパネル(2a)と両パネル(2a)間に配された断熱材(2b)とを備えたものである。
【０００９】
嵌殺し窓用透明板取付装置(1) は、方形開口各辺の縁部に嵌め被せられるポリ塩化ビニルなどの合成樹脂製溝形押縁取付用部材(5) と、方形開口各辺の縁部に嵌め被せられた溝形押縁取付用部材(5) に取り付けられるとともに互いに対向しかつ方形開口内に位置する透明板挟み用垂直板状部(6a)(7a)を有する前後一対のポリ塩化ビニルなどの合成樹脂製押縁(6)(7)とを備えている。以下、図２および図３を中心として、扉(2) の方形開口下辺の縁部(2c)における押縁取付用部材(5) および前後押縁(6)(7)について説明する。なお、図４に示す方形開口左辺の縁部における前後押縁(6)(7)と押縁取付用部材(5)から分かるように、扉(2) の方形開口左右辺の縁部および上辺の縁部における押縁取付用部材(5) と前後押縁(6)(7)は、下辺の縁部(2c)における押縁取付用部材(5) および前後押縁(6)(7)と向きが異なるのみで構造は同じであるから、これらの説明は省略する。
【００１０】
溝形押縁取付用部材(5) の底壁外面に、後向き垂直面(8a)を有する前テーパ突条(8) と、前向き垂直面(9a)を有する後テーパ突条(9) とが、前後に間隔をおいて並列状に設けられている。
【００１１】
また、溝形押縁取付用部材(5) の前後壁(5c)(5d)の先端部内側に前後壁(5c)(5d) 先端部が下に行くほど細くなるように曲面部 (5a)(5b)が形成されている。また、溝形押縁取付用部材(5) の前後壁(5c)(5d)は、それぞれ開口内方にわずかに傾斜せしめられており、後に述べるように、溝形押縁取付用部材(5) を扉(2) の方形開口下辺の縁部(2c)に嵌め被せるさいに、前壁(5c)の曲面部(5a)の前壁先端側部分が、縁部(2c)の前角に、後壁(5d)の曲面部(5b)の後壁先端側部分が、縁部(2c)の後角に、それぞれ当たるようになっている。
【００１２】
なお、押縁取付用部材(5) は、押縁(6)(7)が取り付けられて押縁(6)(7)を方形開口下辺の縁部(2c)に固定しうる位置にあればどこでもよく、縁部(2c)の全長にわたって配してもよいし、縁部(2c)の左右方向中央部分のみに一つ配してもよい。また、縁部(2c)に適当な左右間隔をおいて複数配してもよい。
【００１３】
前後押縁(6)(7)は、前後の向きは異なるが同一の構造を有するものであるから、以下、後の押縁(7) について説明し、前の押縁(6) については、後の押縁(7)と対応する部分に対応する符号(6a)〜(6f)を付してその説明は省略する。また、前後押縁(6)(7)は、下辺の縁部(2c)の全長にわたって設けられているものである。
【００１４】
後押縁(7) には、透明板挟み用垂直板状部 (7a)と、溝形押縁取付用部材(5) の後壁(5d)に嵌め被せられる前方に開口した横断面コ形の嵌被せ部(7b)と、後テーパ突条(9) の垂直面(9a)に引っかけられる横断面倒Ｌ形の引っかけ部(7c)とが形成されている。引っかけ部(7c)、嵌被せ部(7b)および透明板挟み用垂直板状部 (7a)は、後斜め上向き板状部(7f)によって連結されており、透明板挟み用垂直板状部 (7a)は、後斜め上向き板状部(7f)の先端に垂下状に存在し、引っかけ部(7c)は、後斜め上向き板状部(7f)の内側基部寄りに突出状に存在し、後斜め上向き板状部(7f)の基端は、嵌被せ部(7b)の上端に一体的に連結されている。
引っかけ部(7c)の前端部分は他の部分に比して下方に膨らんでおり、この下方膨出部の後端に後テーパ突条(9) の垂直面(9a)に係止される後向き面(7d)が形成されている。さらに、引っかけ部(7c)における後向き面(7d)の後方には、下方に突出したテーパ突条(7e)が形成されている。
【００１５】
上記のような構成を有する窓用透明板取付装置(1)は、以下のようにして方形開口下辺の縁部(2c)に取り付けられる。
【００１６】
まず、押縁取付用部材(5) を方形開口下辺の縁部(2c)に上方から嵌め被せる。この手順は以下の通りである。
【００１７】
先に述べたように、最初、前壁(5c)曲面部(5a)の前壁先端側部分が、縁部(2c)の前角に、後壁(5d)曲面部(5b)の後壁先端側部分が、縁部(2c)の後角に、それぞれ当たるので、この状態から押縁取付用部材(5) を下方に押す。すると押縁取付用部材(5) は、合成樹脂製であり、適度な弾性を有するので、曲面部(5a)(5b)によって押縁取付用部材(5) の前後壁(5c)(5d)先端部どうしの間隔が広げられる。そして、このまま押縁取付用部材(5) を下方に移動する。すると押縁取付用部材(5) の前後壁(5c)(5d)は、両者の間隔が広げられた状態から復元しようとするので、押縁取付用部材(5) の前後壁(5c)(5d)によって方形開口下辺の縁部(2c)が挟まれ、押縁取付用部材(5) がこの縁部(2c)に取り付けられる。
【００１８】
次に、前後押縁(6)(7)を押縁取付用部材(5) に取り付ける。前後押縁(6)(7)は、
作業方向は異なるが、同様の手順で取り付けられるので、以下、後押縁(7) を例にとって説明する。
【００１９】
後押縁(7)の 嵌被せ部(7b)を押縁取付用部材(5) の後壁(5d)に後方から嵌め被せる。このさい引っかけ部(7c)は、その下方に膨出した前端部分が押縁取付用部材(5) の後テーパ突条(9)を通過するに伴って上方に屈曲せしめられ、後テーパ突条(9) を通過した後に復元して後テーパ突条(9) の垂直面(9a)に後向き面(7d)が係止される。
【００２０】
そして、後押縁(7)の垂直板状部(7a)の下端と、後押縁(7)と同様にして押縁取付用部材(5) に取り付けられた前押縁(6)の垂直板状部(6a)の下端でスペーサ(10)を下方に押し付け、スペーサ(10)を押縁取付用部材(5) の底壁における適当な位置に固定する。
【００２１】
次に、互いに対向した透明板挟み用垂直板状部(6a)(7a)間に透明板(3) の下辺の縁部を差し入れ、透明板(3) と透明板挟み用垂直板状部(6a)(7a)との間にコーキングを施して透明板(3) を挟む。
【００２２】
この透明板取付装置においては、後押縁(7) の嵌被せ部(7b)が後方に移動しようとしても、引っかけ部(7c)の後向き面(7d)が後テーパ突条(9) の垂直面(9a)に係止されているので、嵌被せ部(7b)が、押縁取付用部材(5) の後壁(5d)から離れることがない。
【００２３】
また、図２中に例えばＡで示した部分を中心に嵌被せ部(7b)が矢印Ｂで示した方に回転して押縁取付用部材(5) の後壁(5d)から離れようとすると、引っかけ部(7c)が図中矢印Ｃで示したように前方に移動し、引っかけ部(7c)のテーパ突条(7e)が、押縁取付用部材(5) の後テーパ突条(9) に当たって引っかけ部(7c)のそれ以上の前方への移動が阻止されるので、嵌被せ部(7b)が押縁取付用部材(5) の後壁(5d)から離れることがない。
【００２４】
なお、スペーサ(10)の前後長さを適当な長さとすれば、引っかけ部(7c)前端がスペーサ(10)に当たって引っかけ部(7c)の前方への移動を阻止することができるので、テーパ突条(7e)は必ずしも必要なものではない。
【００２５】
また、スペーサ(10)は、押縁取付用部材(5) における底壁の適当な位置、すなわち透明板(3) を保持しうる位置に適当な数だけ配されていればよい。
【００２６】
また、図４に示すように、各押縁(6)(7)の左右端部は、直交する他の押縁(6)
(7)と干渉しないように４５°の角度に傾斜している。
【００２７】
なお、本実施形態で示した曲面部 (5a)(5b)は、前後壁(5c)(5d) 先端部が下に行くほど細くなるようなテーパ状部であってもよい。
【００２８】
【発明の効果】
本発明の嵌殺し窓用透明板取付装置によれば、押縁取付用部材を方形開口各辺の縁部に嵌め被せるのみでこれに取り付けることができるから、押縁取付用部材の方形開口各辺の縁部への取付け作業が容易である。さらに、押縁取付用部材の前後壁に前後方向から前後押縁の嵌被せ部を嵌め被せるとともに、引っかけ部をテーパ突条の垂直面に引っかけることにより、押縁取付用部材に前後押縁を取り付けることができるので、前後押縁の取付け作業も容易である。
また、押縁取付用部材の前後壁には、ねじ止めするための部分が必要でないので、前後壁の高さを小さくすることができ、押縁取付用部材の材料費が安くなる。また、押縁においても前後壁に嵌め被せる嵌被せ部の高さを小さくすることができるので、材料費が安くなる。
【００２９】
さらに、押縁取付用部材の前後壁の高さおよび押縁の嵌被せ部の高さを小さくすることができるので、その分開口面積の大きな窓を形成することができる。
【図面の簡単な説明】
【図１】  本発明の嵌殺し窓用透明板取付装置が適用された冷凍冷蔵倉庫の一部の正面図である。
【図２】  図１におけるII-II 線に沿う拡大断面図である。
【図３】  方形開口下辺の縁部に溝形押縁取付用部材を取り付ける状態を示す部分拡大横断面図である。
【図４】  図１に示した冷凍冷蔵倉庫における嵌殺し窓の左下部分の拡大斜視断面図である。
【符号の説明】
(1)       窓用透明板取付装置
(2)       扉(壁)
(2c)      方形開口下辺の縁部
(3)       透明板
(5)       溝形押縁取付用部材
(5a)      前壁の曲面部
(5b)      後壁の曲面部
(5c)      前壁
(5d)      後壁
(6)  前押縁
(7)      後押縁
(6a)(7a)  透明板挟み用垂直板状部
(6b)(7b)  嵌被せ部
(6c)(7c)  引っかけ部
(8)       前テーパ突条
(9)  後テーパ突条
(8a)   後向き垂直面
(9a)      前向き垂直面
【図１】
0003663481.tif 000002
【図２】
0003663481.tif 000003
【図３】
0003663481.tif 000004
【図４】
0003663481.tif 000005